(57)【要約】      （修正有）【課題】坩堝に対して濡れ性に劣る原材料融液より中空状単結晶を得る方法を提供する。【解決手段】底部が閉塞された閉塞部となる円筒形状を有し、閉塞部を円筒形状の内部から外部に貫通する貫通孔１１ｂを有する坩堝１１の内部に保持された原材料７の融液８を貫通孔１１ｂから漏出させ、貫通孔１１ｂ内形状よりも小さな外形状を有する形状制御棒１２を挿通した状態で引下げ操作を行い、シードタッチのために、形状制御棒１２を動作させて融液８をシードタッチ面に向けて送り込ませる。【選択図】図１
2010241663.tif 000002
【特許請求の範囲】
【請求項１】
底部が閉塞された閉塞部となる円筒形状を有し、前記閉塞部を前記円筒形状の内部から外部に貫通する貫通孔を有する坩堝、の内部に保持された原材料融液を前記貫通孔から漏出させ、漏出した前記原材料融液に、前記原材料融液が結晶化する際の結晶方位を定めるシードを接触させ、前記シードを所定の引下げ軸に沿って引き下げることによって前記シードを基点として成長する単結晶を得る単結晶の引下げ方法であって、
前記貫通孔の開口部が形成される前記坩堝における開口部の形成面に対して前記シードにおける前記原材料融液との接触面を接触させ、
前記貫通孔に棒状の形状制御棒の先端部を挿入した状態で、前記坩堝の内部に保持された原材料を溶融して前記原材料融液を生成し、
前記形状制御棒に所定の動作を実施させて前記原材料融液を前記貫通孔に送り込み、
前記貫通孔に送り込まれた前記原材料融液を前記シードの前記接触面に接触させ、
前記シードを前記所定の引下げ軸に沿って引下げることを特徴とする単結晶の引下げ方法。
【請求項２】
前記形状制御棒の先端部は前記坩堝の内部より前記貫通孔に向けて挿脱され、前記貫通孔の前記開口部の形成面より前記所定の引下げ軸の上方において前記所定の動作が為されるように前記形状制御棒の動作範囲が規制されることを特徴とする請求項１に記載の単結晶の引下げ方法。
【請求項３】
前記所定の動作は、前記形状制御棒の前記所定の引下げ軸の延在方向についての上下動、前記所定の引下げ軸を中心とする回動、及び振動、或いはこれらの組み合わせの少なくとも何れかの動作であることを特徴とする請求項１或いは２の何れか一項に記載の単結晶の引下げ方法。
【請求項４】
前記シードにおいて前記原材料融液と接触可能な前記接触面の大きさは前記貫通孔の前記開口部よりも広いことを特徴とする請求項１乃至３の何れか一項に記載の単結晶の引下げ方法。
【請求項５】
前記形状制御棒は前記坩堝と同じ材料から形成されることを特徴とする請求項１乃至４の何れか一項に記載の単結晶の引下げ
【請求項６】
底部が閉塞された閉塞部となる円筒形状を有し、前記閉塞部を前記円筒形状の内部から外部に貫通する貫通孔を有する坩堝、の内部に保持された原材料融液を前記貫通孔から漏出させ、漏出した前記原材料融液に、前記原材料融液が結晶化する際の結晶方位を定めるシードを接触させ、前記シードを所定の引下げ軸に沿って引き下げることによって前記シードを基点として成長する単結晶を得る単結晶の引下げ装置であって、
前記坩堝と前記所定の引下げ軸について同軸であって、先端部外周が前記貫通孔の内壁に対して所定の間隔を空けて挿通可能な形状制御棒と、
前記形状制御棒に所定の動作を行わせる制御棒駆動部と、を有することを特徴とする単結晶の引下げ装置。
【請求項７】
前記形状制御棒の先端部は前記坩堝の内部より前記貫通孔に向けて挿脱され、前記制御棒駆動部は、前記貫通孔の前記開口の形成面より前記所定の引下げ軸の上方において前記形状制御棒の前記所定の動作が行われるように前記形状制御棒の動作範囲を規制することを特徴とする請求項６に記載の単結晶の引下げ装置。
【請求項８】
前記所定の動作は、前記形状制御棒の前記所定の引下げ軸の延在方向についての上下動、前記所定の引下げ軸を中心とする回動、及び振動、或いはこれらの組み合わせの少なくとも何れかの動作であることを特徴とする請求項６或いは７の何れか一項に記載の単結晶の引下げ装置。
【請求項９】
前記シードにおいて前記原材料融液と接触可能な接触面の大きさは前記貫通孔の前記開口部よりも広いことを特徴とする請求項６乃至８の何れか一項に記載の単結晶の引下げ装置。
【請求項１０】
前記形状制御棒は前記坩堝と同じ材料から形成されることを特徴とする請求項６乃至９の何れか一項に記載の単結晶の引下げ装置。
【発明の詳細な説明】
【技術分野】
【０００１】
本発明は、所謂レーザ用光学素子、非線形光学素子、医療用シンチレータ、圧電素子、超磁歪素子、等に用いられる、酸化物、フッ化物、金属合金等の単結晶を製造する装置に関する。より詳細には、坩堝底部に設けられた孔より原材料融液を引き出しつつ所望の結晶材料を得る引下げ法、特に、ファイバー状単結晶を得る所謂マイクロ引下げ(μ-ｐＤ)法と称呼される単結晶製造方法の一態様である所謂中空状の単結晶の引下げを可能とする単結晶引下げ方法及び当該方法に好適に使用可能な単結晶引下げ装置に関する。
【背景技術】
【０００２】
加熱溶融された原材料を保持する坩堝の底部に引き出し孔を形成し、当該孔から漏出する原材料融液に対して結晶核（以降シードと称する。）を接触させ、孔からの原材料の漏出に伴って該シードを引下げることにより、該シードを核として成長する単結晶を得る、所謂引下げ法が知られている。当該方法により得られる単結晶は、従来から知られるCZ法に代表される所謂引き上げ法等により得られる単結晶の結晶径と比較して得られる結晶の径はより小さくなる。しかし、結晶成長に要する時間が短く、且つCZ法と比較して安価に結晶性に優れた単結晶が得られる方法であるとして、現在実際の製造装置としてのハード面での改変、及び各種単結晶への適用の検討が為されている。
【０００３】
また、単結晶の形状を制御する方法についても種々の検討がなされており、例えば中空状（所謂パイプ状）の単結晶もその対象に含まれる。特許文献１には、このような中空状単結晶の育成方法が示されている（段落［００２２］、及び図６参照）。当該方法では、坩堝の下部に設けられた原材料融液漏出用の貫通孔に対して、該貫通孔の内径よりも小さな外径を有するパイプ状の部材の先端部を部分的に挿通させている。当該方法によれば、該パイプ状の部材の表面を伝って流れ落ちる原材料融液が最終的に該パイプ形状の端面形状に倣ってシード側に伝わり、パイプ状の部材を貫通孔の内壁面との間の厚みを有する中空状単結晶が得られる。
【先行技術文献】
【特許文献】
【０００４】
【特許文献１】特開平０４−２８０８９１号公報
【発明の概要】
【発明が解決しようとする課題】
【０００５】
マイクロ引下げ法に用いられる原材料融液は種々存在し、その物性に大きな差を有することもある。ここで、本発明者は、マイクロ引下げ法において坩堝等、原材料融液と接する領域にある部材と原材料融液との間に存在する所謂濡れ性が、当該方法に得られる単結晶の形状制御時に着目すべき物性であるとことを見出している。なお、原材料融液の雫を接触対象物である坩堝等と同じ材質且つ同じ表面状態からなる平板状の板材上に存在させた場合の所謂接触角について、当該接触角が９０°以上となる場合を濡れ性の低い或いは劣った材料と定義し、９０°未満となる場合を濡れ性の高い或いは良い材料として述べることとする。例えば、坩堝等が金属製であり、得ようとする単結晶が酸化物系の材料である場合にはこれらの間の濡れ性は高く、この場合原材料融液は坩堝等の表面を優先的に伝わって流れることとなる。
【０００６】
ところが、フッ化物系の材料の場合に例示されるように、坩堝やパイプ状の部材に対して濡れ性の悪い材料から単結晶を得ようとした場合、当該材料である原材料融液はパイプ状の部材或いは坩堝の表面を伝わらない。寧ろ、パイプ状の部材の表面及び開口部を構成する坩堝表面によってはじかれ、原材料融液が貫通孔から漏出しない状態となる。この場合、原材料融液の保持温度を高めることによって当該原材料融液の粘性を下げ、漏出を図る方法も考えられる。しかしこのようなアプローチによって原材料融液の漏出を図った場合には、適当な固液境界面（以下メニスカスと称する。）を形成することが困難となる。また、このような対処の場合、原材料融液の漏出が不可能な状態から急激に漏出する状態へ急変してしまうことから、原材料融液の漏出先端部にシードを接触させてメニスカスを生成する所謂シードタッチについてもこれを適切に為すことが困難であった。
【０００７】
本発明は以上の状況に鑑みて為されたものであって、上述したような濡れ性の劣る原材料融液を用いた場合であっても、好適にシードタッチを実施し、中空状の単結晶を育成可能な単結晶製造方法及び製造装置の提供を目的とする。
【課題を解決するための手段】
【０００８】
上記課題を解決するために、本発明に係る単結晶の引下げ装置は、底部が閉塞された閉塞部となる円筒形状を有し、閉塞部を円筒形状の内部から外部に貫通する貫通孔を有する坩堝、の内部に保持された原材料融液を貫通孔から漏出させ、漏出した原材料融液に、原材料融液が結晶化する際の結晶方位を定めるシードを接触させ、シードを所定の引下げ軸に沿って引き下げることによってシードを基点として成長する単結晶を得る単結晶の引下げ方法であって、貫通孔の開口部が形成される坩堝における開口部の形成面に対してシードにおける原材料融液との接触面を接触させ、貫通孔に棒状の形状制御棒の先端部を挿入した状態で、坩堝の内部に保持された原材料を溶融して原材料融液を生成し、形状制御棒に所定の動作を実施させて原材料融液を貫通孔に送り込み、貫通孔に送り込まれた原材料融液をシードの前記接触面に接触させ、シードを所定の引下げ軸に沿って引下げることを特徴としている。
【０００９】
なお、上述した単結晶の引下げ方法にあって、形状制御棒の先端部は坩堝の内部より貫通孔に向けて挿脱され、貫通孔の開口部の形成面より所定の引下げ軸の上方において所定の動作が為されるように形状制御棒の動作範囲が規制されることが好ましい。また、所定の動作については、形状制御棒の所定の引下げ軸の延在方向についての上下動、所定の引下げ軸を中心とする回動、及び振動、或いはこれらの組み合わせの少なくとも何れかの動作であることが好ましい。更に、シードにおいて原材料融液と接触可能な接触面の大きさは、貫通孔の開口部よりも広いことが好ましい。更に、形状制御棒は坩堝と同じ材料から形成されることがより好ましい。
【００１０】
また、上記課題を解決するために、本発明に係る単結晶の引下げ装置は、底部が閉塞された閉塞部となる円筒形状を有し、閉塞部を円筒形状の内部から外部に貫通する貫通孔を有する坩堝、の内部に保持された原材料融液を貫通孔から漏出させ、漏出した原材料融液に、原材料融液が結晶化する際の結晶方位を定めるシードを接触させ、シードを所定の引下げ軸に沿って引き下げることによってシードを基点として成長する単結晶を得る単結晶の引下げ装置であって、坩堝と所定の引下げ軸について同軸であって、先端部外周が貫通孔の内壁に対して所定の間隔を空けて挿通可能な形状制御棒と、形状制御棒に所定の動作を行わせる制御棒駆動部と、を有することを特徴としている。
【００１１】
なお、上述した単結晶の引下げ装置にあって、形状制御棒の先端部は坩堝の内部より貫通孔に向けて挿脱され、制御棒駆動部は、貫通孔の開口の形成面より所定の引下げ軸の上方において形状制御棒の所定の動作が行われるように形状制御棒の動作範囲を規制することが好ましい。また、この場合の所定の動作は、形状制御棒の所定の引下げ軸の延在方向についての上下動、所定の引下げ軸を中心とする回動、及び振動、或いはこれらの組み合わせの少なくとも何れかの動作であることが好ましい。更に、シードにおいて原材料融液と接触可能な接触面の大きさは貫通孔の開口部よりも広いことがより好ましい。また、形状制御棒は坩堝と同じ材料から形成されることがより好ましい。
【発明の効果】
【００１２】
本発明によれば、坩堝に対して濡れ性の悪い材料を用いた場合であっても、原材料融液をシードに対して好適に供給することが可能となり、中空状の単結晶を好適に育成することが可能となる。また、形状制御棒によって原材料融液の移動、漏出を補助することによって、原材料融液に対するシードタッチを確実且つ安定的に実施することが可能となる。
【００１３】
また、本発明によれば、形状制御棒が貫通孔の下方開口部から突出しないように該形状制御棒の移動量或いは坩堝に対する突き出し量を制御している。従って、貫通孔開口部を抜け出た状態となり外周部からの作用力を受けなくなった原材料融液に対して内周部側から不要な作用力を及ぼすことが無くなり、中空状となった後の形状の維持、制御が容易に行われる。また、この移動量の制限によってシードの接触面（上端面）を貫通孔開口部に当接させることが可能となり、漏出する原材料融液の量が僅かであっても、確実がシードタッチを為すことが可能となる。更に、該形状制御棒と坩堝とを同材質としたことにより、濡れ性に関しての坩堝−原材料融液間と形状制御棒−原材料融液間との各々の間に作用する濡れ性に起因する作用力の大きさが等しくなり、貫通孔から漏出する際の環状となった漏出部での形状性を高めることが可能となる。なお、この場合、形状制御棒の表面状態を貫通孔開口部周辺の表面状態と一致するように各々に対する加工を施すことによって、当該効果はより顕著になる。
【００１４】
更に、本発明では、原材料融液中において形状制御棒の移動、回転等の動作をおこなっている。当該動作によって、坩堝中における原材料融液の攪拌が進められるため、坩堝内における組成、温度等の均一化、平準化が図られる。このため、形状上の精度のみならず、結晶中における材質、組成上等の均質化も図られることとなりより高品位な単結晶を得ることも可能となる。
【図面の簡単な説明】
【００１５】
【図１】本発明の一実施形態に係る単結晶の引下げ装置に関し、主要部の構成を側方から見た状態であって部分的に軸方向の断面図を含んでこれを示す図である。
【図２Ａ】図１に示す単結晶の引下げ装置の主要部構成を下方から見た状態であって、坩堝の貫通孔開口部と形状制御棒との一実施形態についてその関係を示す図である。
【図２Ｂ】図２Ａと同様の様式により、坩堝の貫通孔開口部と形状制御棒との他の実施形態についてその関係を示す図である。
【図２Ｃ】図２Ａと同様の様式により、坩堝の貫通孔開口部と形状制御棒との更なる実施形態についてその関係を示す図である。
【図３Ａ】図１Ａに示す構成を用いて本発明に係る単結晶の引下げ方法を実施した場合における、一の工程を示す図である。
【図３Ｂ】図３Ａと同様の様式を用いて、図３Ａに示す工程に続く工程を示す図である。
【図３Ｃ】図３Ａと同様の様式を用いて、図３Ｂに示す工程に続く工程を示す図である。
【図３Ｄ】図３Ａと同様の様式を用いて、図３Ｃに示す工程に続く工程を示す図である。
【図３Ｅ】図３Ａと同様の様式を用いて、図３Ｄに示す工程に続く工程を示す図である。
【図４】本発明の一実施形態に係る単結晶の引下げ装置の概略構成を模式的に示す図である。
【発明を実施するための形態】
【００１６】
以下に図面を参照して本発明の一実施形態について説明する。図１は、本発明の一実施形態に係る単結晶の引下げ装置の主たる構成要素に関して、これらを側方から見た場合の概略を示す図である。当該実施形態に係る引下げ装置１は、坩堝１１、アフターヒータ１３、ワークコイル１７、シード保持具３１、形状制御棒１２、及び制御棒駆動部１４を有する。坩堝１１は、底面（下端部）が閉塞された円筒形状を有しており、カーボン或いは高融点金属（例えば、Re、Ir、W、Ta、Mo、Pt、或いはこれらの合金）から構成される。坩堝１１の底面中央には、該坩堝の中心軸に沿って、円筒の閉塞部である当該底面を坩堝１１の内側から外側に貫通する貫通孔１１ａが設けられる。ワークコイル１７は坩堝１１と同軸の螺旋状構造を有する。該ワークコイル１７は坩堝１１等に向けて高周波を発し、所謂高周波誘導現象を利用して坩堝１１或いは坩堝１１の内部に保持される原材料７或いは原材料融液８の加熱（発熱）、及び原材料の溶融を行っている。
【００１７】
坩堝１１の内部には、該坩堝１１と同軸に延在する棒状の形状制御棒１２が配置される。該形状制御棒１２は坩堝貫通孔１１ｂの内径より小さい外形状からなる先端部を有する。即ち、形状制御棒１２の先端部外周が坩堝貫通孔１１ｂの内壁に対して、所定の間隔を空けるように、該形状制御棒１２の先端部の形状及び大きさが設定されている。なお、該形状制御棒１２の貫通孔１１ｂ側の先端面は、軸心に対して垂直な平面とされている。該形状制御棒１２の他端は、制御棒駆動部１４に接続される。該制御棒駆動部１４は公知のアクチュエータ等から構成され、形状制御棒１２に対して軸心方向の上下動（軸心である所定の引下げ軸が鉛直方向に延在することによる。）、軸心周りの回転、振動等の諸動作或いはこれらの組み合わせからなる所定の動作を行わせることが可能となっている。なお、本発明においては、形状制御棒１２の先端部の動作範囲は、下端部において坩堝貫通孔１１ｂの開口形成面よりも坩堝の外側に突出しないように制御されている。
【００１８】
坩堝貫通孔１１ｂの開口形成面に端面が対向するように、シード５が配置される。シード５とは、原材料融液８と接触した状態にて該原材料融液８の結晶化が進展した場合、当該結晶の生成核となって結晶方位を定める働きを有する。即ち、該シード５は、単結晶成長の際の成長基点となる。当該シード５は、当該坩堝１１の中心軸に沿って延在し且つ該中心軸に沿った上下動が可能なシード保持具３１によって支持され、当該貫通孔の鉛直下方に配置される。漏出した原材料融液は当該シード５における原材料融液８との接触面（上部に設けられる平坦面）と接触して結晶化を始め、該シード５を前述した中心軸に沿って引下げることによって結晶の成長、育成を促す。本形態では、接触面であるシード５における坩堝貫通孔１１ｂの対向面は、引下げ軸に垂直な平面により構成される。
【００１９】
坩堝１１の下方には、坩堝１１の下端外周近傍と当接して該坩堝１１を支持する、円筒形状のアフターヒータ１３が配置される。アフターヒータ１３は、坩堝と同様の材料より構成されており、坩堝１１と同軸となるように配置されている。原材料加熱時において、該アフターヒータ１３も高周波誘導によって発熱し、坩堝１１の下端より漏洩する原材料融液を加熱可能としている。また、アフターヒータ１３の長さは、ワークコイル１７の長手方向において中央部に配置される坩堝１１と該アフターヒータ１３とを当接させて配置した際に、該ワークコイル１７における有効加熱領域に該アフターヒータ１３が収容されるように設定されている。該アフターヒータ１３の設置により引下げ方向における均熱領域が拡大可能となり、結晶育成の条件をより広範なものとすることが可能となる。なお、引下げ操作時においては、シード５が原材料融液８に対して確実に接触し且つメニスカスが生成されることを確認した上で、結晶が好適に成長する速度にてシードが引下げられることが好ましい。このため、メニスカスの状態等が例えば後述するＣＣＤカメラ等により撮影可能となるように、アフターヒータ１３には円筒壁の一部を貫通する貫通窓１３ａが形成されている。
【００２０】
本発明においては、形状制御棒１２に対して、上下動、回転、振動等、及びこれらの組み合わせからなる所定の動作をさせることにより、原材料融液８に対して坩堝貫通孔１１ｂの開口部に向かうように送り込む付勢力を作用させる。原材料融液８は本来坩堝１１の内面に対して濡れ性が低く、例えば坩堝１１の内部空間から貫通孔１１ｂに対して侵入することはない。特に形状制御棒１２によって開口部の面積が狭められていることから、このような原材料融液１１の漏出方向への移動はより困難となる。本発明の如く、形状制御棒１２によって原材料融液８を強制的に貫通孔１１ｂに向けて送り込むことにより、シードタッチに好適な原材料融液８の漏出状態を形成することが可能となる。
【００２１】
例えば、濡れ性の大きい原材料融液８の場合には、当該原材料融液８は形状制御棒１２或いは坩堝の貫通孔１１ｂを伝って容易に貫通孔１１ｂの開口部から漏出する。このため、シード５の上端面（前述した接触面）の形状、配置に対する制限は大きくなく、極論すれば開口部直下に配置されていれば温度制御のみで好適なシードタッチを為すことも可能である。しかしながら、本発明が対象とするような濡れ性の小さな原材料融液８の場合、形状制御棒１２によって開口部向けて送られた原材料融液８であっても、貫通孔１１ｂの内壁等から受ける付勢力を超えるだけの自重量を有した量が開口部を超えない限り容易に坩堝１１の外部に漏出しない。このため、シード５の上端面と瞬間的に漏出する原材料融液８とを接触させることが非常に難しくなる。本形態では、シード５の上端面を平坦面とし、貫通孔１１ｂの開口部形成面を該平坦面に対して平行となるように個々の面を配置している。そして、シードタッチ時には、これら面を互いに当接させた状態とし、僅かの漏出量であってもシードタッチを行うことを可能としている。
【００２２】
なお、この場合形状制御棒１２が開口形成面から突き出す場合には、当該形状制御棒１２がシード５に当接してシード５の位置を動かしてしまう等の事態が生じてしまう。このため、前述したように形状制御棒１２の先端面は貫通孔１１ｂの所謂出口側の開口形成面から突出しない範囲で動作することとしている。また、原材料融液８が過剰に漏出させられた場合、貫通孔１１ｂの内壁面等から受ける付勢力によって当該領域の原材料融液８が開口部出口側に更に押し出されることも生じ得る。なお、この場合であっても、適当な引下げ速度等を設定することによって、原材料融液８の過剰供給を一時的なものとして適当な肉厚のパイプ状単結晶を得ることも可能である。このため、一時的に過剰に供給された原材料融液８がその場に維持可能となるように、シード５の上端面は開口部の開口広さよりも大きく設定されている。
【００２３】
また、本実施形態において、坩堝貫通孔１１ｂは、図１に示すように内側開口部から外側開口部にむけて形状及び大きさが一定とされた平行部を有している。形状制御棒１２は中空状単結晶の中空部分を形成することを主たる目的としており、前述した所定の動作はこの平行部内で行われる必要がある。これは平行部よりも坩堝内部側で或いは内部側から所定の動作が為された場合、原材料融液８の送り込みの効果が大きい反面、中空部の制御が困難となることによる。また、前述したように、形状制御棒１２の動作範囲は開口部から突出しないこととしているが、より詳細には、開口部から坩堝内側に移動した状態において、形状制御棒８表面−坩堝貫通部１１ｂ内壁に挟持されて厚さの規定をされた原材料融液８が、粘性によってその厚み変化させない量だけ、開口部端面から離れることとしても良い。以上より、形状制御棒８の所定の動作の範囲は、前述した平行部内で行われることが好ましい。
【００２４】
上述した実施形態では、坩堝貫通孔１１ｂの延在軸に垂直な断面形状が円形であり、且つ形状制御棒１２の軸方向に垂直な断面形状も円形である場合について述べている。このような実施形態における坩堝１１等を軸方向下方から見た状態を図２Ａに示す。当該形態は、形状制御棒１２に対して回転動作を行う上で好適であり、且つ形状制御棒１２と貫通孔１１ｂの内壁との間隔が水平面内で全て均等であり、原材料融液８が貫通孔１１ｂより均等に送り出されることが期待される。しかし、本発明は当該形態に限定されない。これらの変形例を図２Ｂ或いは図２Ｃを用いて具体的に示す。なお、これら図は図２Ａと同様の様式で各部材を示すものであって、同一の構成は同一の参照符号を用いて説明している。図２Ｂに示す形態では、形状制御棒１２の軸方向に垂直な断面形状を矩形状としている。また、図２Ｃに示す形態では、貫通孔１１ｂの軸方向に垂直な断面形状を矩形状としている。これら構成の場合、場所により原材料融液８の漏出量に片寄りが生じる恐れがある。当該場合には、アフターヒータ１３によって原材料融液８の粘性を低下させることで、好適なシードタッチを得ることが可能となる。なお、形状制御棒８表面−坩堝貫通部１１ｂ内壁の間隔について、本発明では図２Ｂ或いは図２Ｃのような例であっても、微視的な見地では定められた間隔を維持しているといえることから、これら例についても所定の間隔を空けていると定義することとする。
【００２５】
また、本実施形態では、形状制御棒１２は坩堝１１と同材質のものを用いている。当該組み合わせの場合、原材料融液８に対する形状制御棒１２及び貫通孔１１ｂの内壁の影響がほぼ等しくなる。その結果、円環状に漏出した際の内周側と外周側とでの原材料融液８の挙動が等しくなり、中空状のパイプ形状でのパイプ部の肉厚を所定の値に保つことが容易になるという効果が得られる。また、この効果は、形状制御棒１２の表面状態が貫通孔１１ｂの内壁の表面状態に近い状態に保たれた場合により顕著となる。しかし、例えば、形状制御棒１２に対する原材料融液８の濡れ性を大きくするように、形状制御棒１２の材質を定めても良い。例えばフッ化物系の単結晶を得ようとする場合この条件に合致する材料は限られてしまうが、当該組み合わせとすることで、原材料融液８の貫通孔１１ｂに対する送り込みの効果がより高くなる可能性がある。また、同様の観点から、形状制御棒１２の一部に攪拌用スクリューにおけるフライト等の攪拌翼を配置しても良い。このようなフライトを配することによって、原材料融液８を貫通孔１１ｂに送り込む際の付勢力をより大きなものとすることが可能となる。
【００２６】
次に、図１に示す構成からなる引下げ装置を用いて、実際に単結晶を育成する方法について説明する。図３Ａ〜図３Ｅは、図１に示す引下げ装置において実際に単結晶の育成を行った場合について、各々の工程を段階的に示している。図３Ａにおいて、坩堝１１の内部には原材料７が固体状で装填されている。シード５はシード保持具３１により上昇させられ、その上端面が坩堝貫通孔１１ｂにおける開口部形成面と当接している。この状態でワークコイル１７に対して高周波電力を印加し、原材料７の溶解を行う。原材料７が溶解されて原材料融液８となった状態を図３Ｂに示す。この状態では、原材料融液８と坩堝貫通孔１１ｂの内壁即ち内表面との濡れ性のため、該貫通孔１１ｂの内部まで原材料融液８は侵入していない。この状態から、制御棒駆動部１４を動作させ、形状制御棒１２の回転及び軸方向上下の動作を行わせる。この動作によって、具体的には形状制御棒１２表面と原材料融液８との摩擦等の影響により、原材料融液８は貫通孔１１ｂと形状制御棒１２とによって構成される円筒状空間に送り込まれる。この状態を図３Ｃに示す。
【００２７】
シード保持具３１によりシード５を僅かに下方に引下げ、原材料融液８がシード５の上面に接触した部分においてメニスカスが形成されているか否かを、貫通窓１３ａを介して確認する。この状態を図３Ｄに示す。なお、本形態では目視によりメニスカスの形成を確認しているが、予め現時点での保持温度における、形状制御棒１２の動作時間と原材料融液８の漏出量との関係を得ておき、当該関係に基づいて時間によりシードの引下げタイミングを設定することとしても良い。メニスカス形成後、図３Ｅに示すようにシードの引下げを実施し、シート５より連続的に成長する中空状単結晶９を育成する。このように、形状制御棒１２によって原材料融液８を貫通孔１１ｂへ送り込む作用を得ることにより、適切なシードタッチが困難である濡れ性の小さな原材料融液８を用いての中空状単結晶の育成が可能となる。
【００２８】
次に、図１に示した構成を含む単結晶引下げ装置の概略構成について説明する。図４は、本発明の一実施形態に係る単結晶引下げ装置を側方から見た状態での概略構成を示している。単結晶引下げ装置１は、前述したように、主たる構成として、シード５、坩堝１１、アフターヒータ１３、ワークコイル１７、形状制御棒１２、制御棒駆動部１４、及びシード保持具３１、更には、坩堝ステージ１９、アウターチューブ２５、シード駆動機構３３、CCDカメラ３５、及び制御装置３９を有している。アフターヒータ１３は、その下端において円環状の坩堝ステージ１９の上面によって支持されている。坩堝ステージ１９は、セラミックス、石英等、加熱に用いる高周波誘導に対して絶縁性を有する材料から構成されている。坩堝ステージ１９は、下面において、該坩堝ステージ１９と同様の材料からなる円筒状のアウターチューブ２５の上端部によって支持されている。これら坩堝１１、アフターヒータ１３、坩堝ステージ１９及びアウターチューブ２５は、同軸となるように配置されており、結晶の引下げ操作は該軸に沿って行われる。
【００２９】
また、シード５はシード保持具３１の上部端部によって保持されており、棒状のシード保持具３１はその下端においてシード駆動機構３３と接続される。シード５は、このシード駆動機構３３によるシード保持具３１の軸方向の上下動に応じて上下動可能とされている。CCDカメラ３５は、メニスカスの形成状態を観察するために用いられる。前述したように、アフターヒータ１３にはメニスカス観察用の貫通窓１３ａが設けられており、CCDカメラ３５は当該貫通窓を介してメニスカス形成領域の映像を撮像することが可能となっている。CCDカメラ３５から得られた映像は制御装置３９に送信され、得られた映像に基づいてメニスカスの状態の判別が行われ、当該判別結果に応じてシード５の引下げ速度の制御が行われる。即ち、メニスカス映像に応じてシード駆動装置３３の制御が為され、シード５の上昇動作の減速、停止、或いは降下への変更、降下速度の調整等の動作が実施される。また、同様に、メニスカスの状態に応じて形状制御棒１２の動作の継続時間或いはその大きさ等も制御される。
【００３０】
なお、上述した結晶育成ユニット３で述べた構成は一例であり、例えば原材料に応じて種々改変が可能である。具体的には、坩堝１１とワークコイル１７との間に更なる発熱体となる導電性材料からなる円筒状の部材を配しても良い。また、坩堝１１自体が発熱する構成ではなく、この円筒状の部材が発熱する構成としても良い。或いは、アフターヒータをなくする構成とする、アフターヒータを二重構造とする、アフターヒータとワークコイル１７との位置関係を改変可能とする、等の構造とすることも可能である。また、単結晶の引下げは、例えば不活性ガス雰囲気、或いは酸化性、フッ化性等ガス雰囲気等、特定の気体雰囲気中において行われることが好ましい。従って、引下げ装置１は密閉可能なチャンバの内部に設置され、排気系及びガス導入系を該チャンバに付随させて、内部空間を所謂真空状態まで排気する、或いは特定のガスで所定の圧力を維持すること等を可能としておくことが好ましい。
【００３１】
本発明においては、中空状単結晶の育成に際して、中空部の内径を規定する形状制御棒１２に対して原材料融液８を坩堝貫通孔１１ｂ（厳密には形状制御棒８表面−坩堝貫通部１１ｂ内壁の間）に送り込む作用を付加させている。以上述べたように、本発明によれば、当該形状制御棒１２の付加的作用により、本来中空状単結晶の育成が困難であった濡れ性の劣る原材料融液を用いた場合であっても、好適にシードタッチを実施し、肉厚の均一性に優れ且つ各部分における組成等の均一性に優れた高品位な中空状の単結晶を育成することが可能となる。
【産業上の利用可能性】
【００３２】
上述したように、本発明は坩堝貫通孔内壁との濡れ性に劣る原材料融液と用いて中空状の単結晶を育成する上で好適である。しかし、本発明は当該組み合わせにのみならず、例えば坩堝貫通孔内壁に対して原材料融液の濡れ性が大きい場合に用いても良い。この場合、原材料融液の保持温度を低めに保ち粘性を高く維持することが好ましい。当該条件において形状制御棒を適度に動作させることにより、原材料融液を安定的にシードに対して接触させることが可能となり、単結晶の成長の初期状態から形状的に優れた単結晶が得られる。また、坩堝内部の原材料融液に対する攪拌効果が得られることから、得られる単結晶の各部において、均質性に優れた単結晶が得られる。
【符号の説明】
【００３３】
１：引下げ装置、  ５：シード、  ７：原材料、  ８：原材料融液、  ９：単結晶、１１：坩堝、  １１ｂ：坩堝貫通孔、  １２：形状制御棒、  １３：アフターヒータ、  １３ａ貫通窓、  １４：制御棒駆動部、  １７：ワークコイル、  １９：坩堝ステージ、  ２５：アウターチューブ、  ３１：シード保持具、  ３３：シード駆動機構、  ３５：ＣＣＤカメラ、  ３９：制御装置
【図１】
2010241663.tif 000003
【図２Ａ】
2010241663.tif 000004
【図２Ｂ】
2010241663.tif 000005
【図２Ｃ】
2010241663.tif 000006
【図３Ａ】
2010241663.tif 000007
【図３Ｂ】
2010241663.tif 000008
【図３Ｃ】
2010241663.tif 000009
【図３Ｄ】
2010241663.tif 000010
【図３Ｅ】
2010241663.tif 000011
【図４】
2010241663.tif 000012